(57)【要約】【課題】ＧＰＳ時刻、換言すれば標準時刻を取得することができなかった場合にも、正確な時刻を表示可能な電子装置を提供する。【解決手段】ＧＰＳ時刻、換言すれば標準時刻Ｔｓｔを取得することができなかった場合にも、予め演算して保持しておいた第１所定時間Ｔ１の間での標準時刻Ｔｓｔと内部時刻Ｔｉｎとの積算時刻差Ｔｓに基づき内部時刻Ｔｉｎを補正した補正時刻Ｔｉｎａを表示するので、正確な時刻を表示器３４に表示することができる。【選択図】図３
2014206420.tif 000002
【特許請求の範囲】
【請求項１】
内部クロックにより内部時刻を刻む内部時計と、
ＧＰＳ信号に基づき算出された標準時刻を取得する標準時刻取得部と、
前記内部時刻又は前記標準時刻を表示器に表示する表示制御部と、
を備える電子装置において、
前記内部時計により刻まれ計時される第１所定時間での前記標準時刻と前記内部時刻との時刻差を演算して保持する時刻差演算部を有し、
前記表示制御部は、
前記標準時刻取得部にて前記標準時刻を取得できなかった場合に、前記時刻差に基づき前記内部時刻を補正した補正時刻を演算し、前記補正時刻を前記表示器に表示する
ことを特徴とする電子装置。
【請求項２】
請求項１に記載の電子装置において、
前記表示制御部は、
前記表示器に前記補正時刻を表示する際に、前記補正時刻により前記内部時計の内部時刻を更新し、更新後の内部時刻を表示する
ことを特徴とする電子装置。
【請求項３】
請求項２に記載の電子装置において、
前記表示制御部は、
前記標準時刻取得部にて前記標準時刻を取得できなかった時から、前記内部時計の内部時刻の更新時までの、前記内部時計により刻まれ計時される期間を、前記時刻差の大きさに応じて決定する
ことを特徴とする電子装置。
【請求項４】
請求項１に記載の電子装置において、
前記表示制御部は、
前記標準時刻取得部にて前記標準時刻を取得できなかった場合に、前記第１所定時間が経過する都度、前記内部時刻に前記時刻差を加えた補正時刻を前記表示器に表示する
ことを特徴とする電子装置。
【請求項５】
請求項１〜４のいずれか１項に記載の電子装置において、
さらに、
前記表示器を利用して又は音出力器からの音声により報知する報知部を備え、
前記表示制御部は、
前記補正時刻、又は前記更新後の内部時刻を前記表示器に表示する際に、時刻表示を更新する旨を前記報知部により報知する
ことを特徴とする電子装置。
【請求項６】
請求項１に記載の電子装置において、
前記表示制御部は、
前記標準時刻取得部にて前記標準時刻を取得できなかった場合に、前記内部時刻に前記時刻差を加えた補正時刻を前記表示器に表示する際、前記時刻差を分割した分割時刻差を、前記内部時計により刻まれ計時される第２所定時間毎に、前記時刻差がゼロとなるまで、前記内部時刻に加えた補正時刻を複数回演算する
ことを特徴とする電子装置。
【発明の詳細な説明】
【技術分野】
【０００１】
この発明は、内部時計により刻まれる時刻（内部時刻という。）を表示器に表示する電子装置に関し、例えば車両に搭載されるディスプレイオーディオ等に適用して好適な電子装置に関する。
【背景技術】
【０００２】
特許文献１には、ヘッドホンプレーヤ、ＩＣメモ録音機、及びデジタルスチルカメラ等の小型ポータブル電子機器に、ＧＰＳ受信機能付きカード型半導体記憶メディアを挿入し、前記ＧＰＳ受信機能付きカード型半導体記憶メディアのＧＰＳ信号処理部が新しいＧＰＳ受信情報を取得したとき、前記小型ポータブル電子機器が自己の内部時計の時間を正確な時間に調整する技術が開示されている。
【０００３】
さらに、この特許文献１に開示された前記小型ポータブル電子機器では、自己の内部時計の時間を、前記ＧＰＳ受信機能付きカード型半導体記憶メディアが挿入されていないときでも、前記小型ポータブル電子機器の内部電池の電源を利用して正確な時間を維持できる、とされている。
【先行技術文献】
【特許文献】
【０００４】
【特許文献１】特開２００１−１４３０４０号公報（図５、［００２２］、［００２６］、［００４２］）
【発明の概要】
【発明が解決しようとする課題】
【０００５】
しかしながら、上記従来技術に係る小型ポータブル電子機器では、前記ＧＰＳ受信機能付きカード型半導体記憶メディアが挿入されていないときの前記内部時計の時間の正確性は、内部時計用の内部クロックの正確性に依存する。このため、前記小型ポータブル電子機器に、前記ＧＰＳ受信機能付きカード型半導体記憶メディアが長期間挿入されなかった場合には、結局、前記小型ポータブル電子機器の時刻が正確な時刻からずれていってしまうという課題がある。
【０００６】
この発明はこのような課題を考慮してなされたものであり、ＧＰＳ時刻、換言すれば標準時刻を取得することができなかった場合にも、正確な時刻を表示することを可能とする電子装置を提供することを目的とする。
【課題を解決するための手段】
【０００７】
この発明に係る電子装置は、内部クロックにより内部時刻を刻む内部時計と、ＧＰＳ信号に基づき算出された標準時刻を取得する標準時刻取得部と、前記内部時刻又は前記標準時刻を表示器に表示する表示制御部と、を備える電子装置において、前記内部時計により刻まれ計時される第１所定時間での前記標準時刻と前記内部時刻との時刻差を演算して保持する時刻差演算部を有し、前記表示制御部は、前記標準時刻取得部にて前記標準時刻を取得できなかった場合に、前記時刻差に基づき前記内部時刻を補正した補正時刻を演算し、前記補正時刻を前記表示器に表示することを特徴とする。
【０００８】
この発明によれば、ＧＰＳ信号に基づき算出された標準時刻を取得することができない場合が続いた状態においても、予め演算して保持しておいた第１所定時間の間での標準時刻と内部時刻との時刻差に基づき前記内部時刻を補正した補正時刻を表示するようにしたので、表示器に正確な時刻を表示することができる。
【０００９】
ここで、前記表示制御部は、前記表示器に前記補正時刻を表示する際に、前記補正時刻により前記内部時計の内部時刻を更新し、更新後の内部時刻を表示するようにしてもよい。
【００１０】
この場合、前記表示制御部は、前記標準時刻取得部にて前記標準時刻を取得できなかった時から、前記内部時計の内部時刻の更新時までの、前記内部時計により刻まれ計時される期間を、前記時刻差の大きさに応じて決定することで、例えば、時刻差（誤差）が大きい場合は早めに更新し、時刻差（誤差）が小さい場合は長い時間経過後に更新すればよく、最適な誤差補正タイミングを設定することができる。
【００１１】
前記表示制御部は、前記標準時刻取得部にて前記標準時刻を取得できなかった場合に、前記第１所定時間が経過する都度、前記内部時刻に前記時刻差を加えた補正時刻を前記表示器に表示するように構成することで、補正タイミングをその都度演算する必要がなく補正が容易に行える。
【００１２】
さらに、前記表示器を利用して又は音出力器からの音声により報知する報知部を備え、前記表示制御部は、前記補正時刻、又は前記更新後の内部時刻を前記表示器に表示する際に、時刻表示を更新する旨を前記報知部により報知するように構成することで、ユーザに違和感を与えないで時刻を変更（更新）することができる。
【００１３】
同様に、前記表示制御部は、前記標準時刻取得部にて前記標準時刻を取得できなかった場合に、前記内部時刻に前記時刻差を加えた補正時刻を前記表示器に表示する際、前記時刻差を分割した分割時刻差を、前記内部時計により刻まれ計時される第２所定時間毎に、前記時刻差がゼロとなるまで、前記内部時刻に加えた補正時刻を複数回演算するように構成することで、ユーザに与える違和感を最小限に抑制しながら補正時刻を表示することができる。
【発明の効果】
【００１４】
この発明によれば、ＧＰＳ時刻、換言すれば標準時刻を取得することができなかった場合にも、予め演算して保持しておいた第１所定時間の間での標準時刻と内部時刻との時刻差に基づき前記内部時刻を補正した補正時刻を表示器に表示するので、正確な時刻を表示器に表示することができる。
【図面の簡単な説明】
【００１５】
【図１】この実施形態に係る電子装置としてのオーディオユニットと、携帯端末とを備える電子装置システムの概略構成を示すブロック図である。
【図２】車両のダッシュボードに装着されているオーディオユニットと、ダッシュボードトレイ上に置かれた携帯端末等を示すインテリア模式図である。
【図３】この実施形態に係る電子装置を含む電子装置システムの動作説明に供されるフローチャートである。
【図４】変形例の電子装置を含む電子装置システムの動作説明に供される一部フローチャートである。
【発明を実施するための形態】
【００１６】
以下、この発明に係る電子装置について好適な実施形態を挙げ、添付の図面を参照して詳細に説明する。
【００１７】
図１は、この実施形態に係る電子装置としてのオーディオユニット１０と、図示しない移動通信網に接続可能なスマートフォン等の携帯端末（携帯通信端末）１２とを備える電子装置システム１４の概略構成を示すブロック図である。オーディオユニット１０と携帯端末１２とは、有線又は無線にて接続されている。この実施形態では、無線により接続されている。
【００１８】
図２は、車両１００のダッシュボード１６に装着されている直方体状のオーディオユニット１０と、ダッシュボードトレイ１８上にドライバ等のユーザにより置かれた携帯端末１２とを示すインテリア模式図である。
【００１９】
図１に示すように、携帯端末１２は、ＧＰＳ衛星２０からのＧＰＳ電波を受信するＧＰＳ受信部２２と、ＧＰＳ受信部２２から出力されるＧＰＳ信号を処理するＧＰＳ信号処理部２４と、近距離通信インタフェースであるｂｌｕｅｔｏｏｔｈ（登録商標）等の機能を有する通信部２６とを備える。
【００２０】
ＧＰＳ信号処理部２４は、公知のように、ＧＰＳ受信部２２にて受信したＧＰＳ電波に含まれるＧＰＳ信号から携帯端末１２の位置と、ＧＰＳ時刻を算出し、ＧＰＳ時刻に基づき、このＧＰＳ時刻と一定の時間関係にある標準時刻Ｔｓｔを算出する。標準時刻Ｔｓｔは、ある国又は地域が共通で使う地方時を意味している。
【００２１】
算出された標準時刻Ｔｓｔは、通信部２６を通じてオーディオユニット１０に送信される。
【００２２】
図１に示すように、オーディオユニット１０は、ＥＣＵ（Ｅｌｅｃｔｒｏｎｉｃ  Ｃｏｎｔｒｏｌ  Ｕｎｉｔ：電子制御ユニット）３０と、このＥＣＵ３０に接続される音楽ソース３２、液晶表示装置等の表示器３４、及び音出力器としてのスピーカ３６とを備える。表示器３４とスピーカ３６とにより報知部３８が形成される。
【００２３】
図２に示すように、表示器３４は、オーディオユニット１０の筐体の正面部に配置され、フロントシート４０に着座した乗員は、表示器３４の画面３４ｄ上の時計表示４２（図２では、「１２：３４」のデジタル時計とこの時刻に対応するアナログ時計）を見ることができるようになっている。スピーカ３６は、フロントドアの両サイドのキックパネル等に取り付けられる。
【００２４】
図１に示すように、音楽ソース３２は、チューナ、コンパクトディスク、ハードディスク等種々の楽音を楽しむためのオーディオ信号を、ＥＣＵ３０を通じてスピーカ３６に出力し、スピーカ３６はオーディオ信号を楽音として車両１００内に出力する。
【００２５】
ＥＣＵ３０は、マイクロコンピュータを含む計算機であり、ＣＰＵ（中央処理装置）の他、メモリであるＲＯＭ（ＥＥＰＲＯＭも含む。）等の記憶部４６、メモリであるＲＡＭ（ランダムアクセスメモリ）、その他、Ａ／Ｄ変換器、Ｄ／Ａ変換器等の入出力装置、通信部４８、計時部を兼用する内部時計５０等を有しており、ＣＰＵがＲＯＭに記録されているプログラムを読み出し実行することで各種機能実現部（機能実現手段）、例えば制御部、演算部、及び処理部等として機能する。
【００２６】
この実施形態において、ＥＣＵ３０は、具体的に、標準時刻取得部５１、時刻差演算部５２、補正時刻演算部５３、内部時刻更新部５４、及び未取得経過時間計時部５５等からなる表示制御部５６等として機能する。これらの機能は、ハードウエアにより実現することもできる。
【００２７】
内部時計５０は、クロック発振器５８から出力される内部クロックにより内部時刻Ｔｉｎを刻む。
【００２８】
標準時刻取得部５１は、ＧＰＳ信号に基づき算出された標準時刻Ｔｓｔを、通信部４８を通じて携帯端末１２から取得する。
【００２９】
表示制御部５６は、内部時計５０で刻まれる内部時刻Ｔｉｎ又は標準時刻Ｔｓｔを表示器３４上に時計表示４２として表示させることができる。
【００３０】
時刻差演算部５２は、内部時計５０により刻まれ計時される第１所定時間Ｔ１での標準時刻Ｔｓｔと内部時刻Ｔｉｎとの時刻差Δｔ（標準時刻Ｔｓｔを基準として内部時刻Ｔｉｎの進みは＋、遅れは−、Δｔ＝Ｔｉｎ−Ｔｓｔ）を演算して記憶部４６の時刻差記憶領域４６ａに保持する。保持したとき、記憶部４６内の積算フラグ記憶領域４６ｂ内の積算フラグＦｓが「Ｆｓ＝０」から「Ｆｓ＝１」とフラグ有りの状態にされる。
【００３１】
補正時刻演算部５３は、時刻差Δｔに基づき内部時刻Ｔｉｎを補正した補正時刻Ｔｉｎａ＝Ｔｉｎ−Δｔを演算する。
【００３２】
内部時刻更新部５４は、補正時刻Ｔｉｎａにより内部時計５０の内部時刻Ｔｉｎを更新する（Ｔｉｎ←Ｔｉｎａ＝Ｔｉｎ−Δｔ）。
【００３３】
未取得経過時間計時部５５は、携帯端末１２のＧＰＳ信号処理部２４にてＧＰＳ信号に基づき算出される標準時刻Ｔｓｔを、オーディオユニット１０の標準時刻取得部５１にて取得することができなくなった時からの経過時間（未取得経過時間）Ｔｘを計時する。この経過時間Ｔｘは、補正時刻演算部５３により補正時刻Ｔｉｎａが演算されたときにリセット（Ｔｘ←０）される。
【００３４】
次に、基本的には以上のように構成乃至動作するこの実施形態に係る電子装置システム１４の動作について、図３に示すフローチャートに基づいて詳しく説明する。なお、特に断らない限り、フローチャートによる処理を実行するのは表示制御部５６であるが、これをその都度参照するのは繁雑になるので、必要に応じて参照する。
【００３５】
ステップＳ１にて、表示制御部５６は、クロック発振器５８から出力される内部クロックで内部時刻Ｔｉｎが刻まれる内部時計５０に基づいて、時刻を計時する。
【００３６】
ステップＳ２にて、表示制御部５６は、標準時刻取得部５１で、携帯端末１２のＧＰＳ信号処理部２４から標準時刻Ｔｓｔを、取得可能か否かを判定する。
【００３７】
この場合、携帯端末１２がＧＰＳ衛星２０のＧＰＳ電波を受信可能な位置に存在するとき、ＧＰＳ信号処理部２４にてＧＰＳ信号に基づき算出された標準時刻Ｔｓｔを通信部２６及び通信部４８を介して標準時刻取得部５１にて取得可能である。
【００３８】
次いで、ステップＳ３にて、標準時刻Ｔｓｔを取得し、表示器３４上に、標準時刻Ｔｓｔに対応する時計表示４２を行う（図２参照）。この場合、時計表示４２は、標準時刻Ｔｓｔにより表示されているので極めて正確である。次いで、ステップＳ４にて、後述する積算フラグＦｓの有無を判定する。最初の判定では、積算フラグＦｓが無い状態であり、Ｆｓ＝０となっている（ステップＳ４：ＹＥＳ）。
【００３９】
次いで、ステップＳ５にて、時刻差演算部５２は、内部時刻Ｔｉｎと標準時刻Ｔｓｔとの差、例えば、定期的取得時間Ｔ０の間での時刻差Δｔ（Δｔ＝Ｔｉｎ−Ｔｓｔ）を演算し、ステップＳ６にて、時刻差Δｔを積算し、積算時刻差Ｔｓ（Ｔｓ＝ΣΔｔ）を得る。なお、定期的取得時間Ｔ０は、固定時間である必要はなく、例えば、オーディオユニット１０のＥＣＵ３０の通信部４８と携帯端末１２の通信部２６とが前回通信接続された後に切断された時から、新たに通信接続がなされた時までの時間に設定することができる。
【００４０】
次に、ステップＳ７にて、積算フラグＦｓのＦｓ＝０の状態が、内部時計５０による計時にて第１所定時間Ｔ１、例えば１ヶ月（Ｔ１＝１ヶ月）経過したか否かを判定する。
【００４１】
第１所定時間Ｔ１を経過していない場合（ステップＳ７：ＮＯ）には、以降、ステップＳ２の判定が否定的となる（ステップＳ２：ＮＯ）まで、ステップＳ１、Ｓ２：ＹＥＳ、ステップＳ３、ステップＳ４：ＹＥＳ、ステップＳ５、ステップＳ６、及びステップＳ７：ＮＯを繰り返し、第１所定時間Ｔ１の経過時（ステップＳ７：ＹＥＳ）にステップＳ８にて、第１所定時間Ｔ１当たりの積算時刻差Ｔｓを時刻差記憶領域４６ａに更新記憶する。このステップＳ８にて、併せて、積算フラグＦｓをＦｓ＝１にセットすると共に、ステップＳ６で計算し記憶した今回の積算時刻差Ｔｓをリセットする（Ｔｓ←０）。
【００４２】
それ以降、ステップＳ１、Ｓ２：ＹＥＳ、ステップＳ３、ステップＳ４：ＹＥＳ、ステップＳ５、ステップＳ６、及びステップＳ７：ＹＥＳが成立したとき、第１所定時間Ｔ１当たりの積算時刻差Ｔｓを更新する。
【００４３】
次いで、ステップＳ２の判定が、携帯端末１２とＥＣＵ３０との通信状態が確立されていない等の理由で、否定的判定になった場合、ステップＳ９にて、標準時刻Ｔｓｔを取得することができなくなってからの経過時間である未取得経過時間Ｔｘを内部時計５０で計時する。
【００４４】
次いで、ステップＳ１０にて、積算フラグＦｓが有る（Ｆｓ＝１）か、無い（Ｆｓ＝０）か、を判定し、無い場合（ステップＳ１０：ＮＯ）には、ステップＳ１→ステップＳ２：ＮＯ→ステップＳ９→ステップＳ１０を繰り返し、経過時間Ｔｘを積算する。
【００４５】
ステップＳ１０の判定にて、積算フラグＦｓが有る（Ｆｓ＝１）場合（ステップＳ１０：ＹＥＳ）には、ステップＳ１１にて、積算時刻差Ｔｓを内部時刻Ｔｉｎに反映し、反映した内部時刻Ｔｉｎを表示器３４の画面３４ｄに表示する。
【００４６】
積算時刻差Ｔｓを内部時刻Ｔｉｎに反映する場合、補正時刻演算部５３は、積算時刻差Ｔｓに基づき内部時刻Ｔｉｎを補正した補正時刻Ｔｉｎａを、次の（１）式により演算し、演算した補正時刻Ｔｉｎａを表示器３４の画面３４ｄに表示する。
Ｔｉｎａ＝Ｔｉｎ−（Ｔｓ×Ｔｘ／Ｔ１）                      …（１）
【００４７】
但し、Ｔｉｎａ：補正時刻、Ｔｉｎ：内部時刻、Ｔｓ：第１所定時間Ｔ１当たりの最新の積算時間、Ｔｘ：ＧＰＳ信号に基づく標準時刻Ｔｓｔを取得することができなくなってからの内部時計５０で計時される経過時間である。
【００４８】
補正時刻Ｔｉｎａを演算したとき、そのステップＳ１１にて、経過時間Ｔｘをリセット（Ｔｘ←０）する。
【００４９】
なお、ステップＳ１１にて、積算時刻差Ｔｓを内部時刻Ｔｉｎに反映する場合、内部時刻更新部５４は、前記補正時刻Ｔｉｎａにより内部時刻Ｔｉｎを更新し（Ｔｉｎ←Ｔｉｎａ）、この更新後の内部時刻Ｔｉｎを表示器３４の画面３４ｄに表示するようにしてもよい。
【００５０】
以上説明したように、上述した実施形態によれば、ＧＰＳ信号に基づき最初に標準時刻Ｔｓｔを取得した時から、定期的に時刻差Δｔを積算して積算時刻差Ｔｓ＝ΣΔｔを得、積算時刻差Ｔｓが例えば５［秒］だった場合、その後、車両１００が圏外で停車したり、オーディオユニット１０と携帯端末１２との通信が未接続となって、ＧＰＳ信号に基づく標準時刻Ｔｓｔを取得することができなくなった場合、所定時間経過後毎に内部時刻Ｔｉｎを補正する。前記所定時間は適宜設定可能であるが、例えば第１所定時間Ｔ１（例えば１ヶ月）毎に５［秒］を補正し、表示器３４の画面３４ｄに表示する。その場合は、Ｔｘ＝Ｔ１となるので、補正時刻Ｔｉｎａは、上記（１）式に代入して、Ｔｉｎａ＝Ｔｉｎ−（Ｔｓ×Ｔ１／Ｔ１）＝Ｔｉｎ−Ｔｓになる。
【００５１】
なお、ステップＳ１１にて、補正後の内部時刻Ｔｉｎを表示器３４の画面３４ｄに表示する際、ステップＳ１１´にて、時計表示４２を正しい時刻に更新する旨をスピーカ３６から音声で報知してもよく、表示器３４の画面３４ｄに表示して報知してもよい。及び／又はそのステップＳ１１´にて、所定時間経過後の積算時刻差（Ｔｓ×Ｔｘ／Ｔ１）を分割し、例えば分オーダーの一定時間（第２所定時間）毎に前記積算時刻差Ｔｓがゼロとなるまで、内部時刻Ｔｉｎに加えた補正時刻Ｔｉｎａを演算し、演算の都度、表示し、内部時刻Ｔｉｎが徐々に標準時刻Ｔｓｔに近づくように補正してもよい。
【００５２】
図４は、変形例の電子装置を含む電子装置システムの動作説明に供されるフローチャートの一部を示している。ステップＳ１〜Ｓ９の処理は、図３の処理と同一の処理である。
【００５３】
この変形例では、ステップＳ１１（Ｓ１１´）の後、表示制御部５６は、標準時刻取得部５１にて標準時刻Ｔｓｔを取得できなかった（ステップＳ２：ＮＯ）時から、内部時計５０の内部時刻Ｔｉｎの次の更新時までの、内部時計５０により刻まれ計時される期間である一定時間（第１所定時間Ｔ１）を、積算時刻差Ｔｓ＝ΣΔｔの大きさに応じて決定する。例えば、誤差である積算時刻差Ｔｓが閾値時刻差Ｔｔｈより大きい（Ｔｓ＞Ｔｔｈ）場合（ステップＳ１２：ＹＥＳ）は、ステップＳ１４にて、第１所定時間Ｔ１より短い期間の第１所定時間Ｔ１´（Ｔ１´＜Ｔ１）で早めに更新し、積算時刻差Ｔｓが小さい（Ｔｓ≦Ｔｔｈ）場合（ステップＳ１２：ＮＯ）は、ステップＳ１３にて、比較的に長い時間である第１所定時間Ｔ１の経過後に更新するようにすればよい。
【００５４】
［実施形態のまとめ］
以上説明したように上述した実施形態に係る電子装置としてのオーディオユニット１０は、内部クロックにより内部時刻Ｔｉｎを刻む内部時計５０と、ＧＰＳ信号に基づき算出された標準時刻Ｔｓｔを取得する標準時刻取得部５１と、内部時刻Ｔｉｎ又は標準時刻Ｔｓｔを表示器３４に表示する表示制御部５６と、を備える。
【００５５】
この場合、内部時計５０により刻まれ計時される第１所定時間Ｔ１での標準時刻Ｔｓｔと内部時刻Ｔｉｎとの時刻差Δｔを演算して時刻差記憶領域４６ａに保持する時刻差演算部５２を有し、表示制御部５６は、標準時刻取得部５１にて標準時刻Ｔｓｔを取得できない場合（例えば、ＧＰＳ時刻を取得できる携帯端末１２がオーディオユニット１０に接続できない、もしくは携帯端末１２が無い。又は、携帯端末１２の電池が切れている等。）が所定時間続いた状態においても、予め演算して保持しておいた時刻差Δｔの積算時刻差Ｔｓに基づき内部時刻Ｔｉｎを補正した補正時刻Ｔｉｎａ｛Ｔｉｎａ＝Ｔｉｎ−（Ｔｓ×Ｔｘ／Ｔ１）｝を演算し、補正時刻Ｔｉｎａを表示器３４に表示するようにしている。このため、表示器３４に正確な時刻（時計表示４２、図２参照）を表示することができる。
【００５６】
ここで、表示制御部５６は、表示器３４に前記補正時刻Ｔｉｎａを表示する際に、前記補正時刻Ｔｉｎａにより内部時計５０の内部時刻Ｔｉｎを更新し、更新後の内部時刻Ｔｉｎを表示するようにしてもよい。
【００５７】
この場合、表示制御部５６は、標準時刻取得部５１にて標準時刻Ｔｓｔを取得できなかった時から、内部時計５０の内部時刻Ｔｉｎの更新時までの、内部時計５０により刻まれ計時される期間（第１所定時間Ｔ１）を、時刻差Δｔ（Ｔｓ）の大きさに応じて決定することで、例えば、時刻差（誤差）が大きい場合は早めに更新し、時刻差（誤差）が小さい場合は長い時間経過後に更新すればよく、最適な誤差補正タイミングを設定することができる。
【００５８】
表示制御部５６は、標準時刻取得部５１にて標準時刻Ｔｓｔを取得できなかった場合に、第１所定時間Ｔ１が経過する都度、内部時刻Ｔｉｎに時刻差Δｔを加えた補正時刻Ｔｉｎａを表示器３４に表示するように構成することで、補正タイミングをその都度演算する必要がなく補正が容易に行える。
【００５９】
さらに、表示器３４を利用して又はスピーカ３６からの音声により報知する報知部３８を備え、表示制御部５６は、補正時刻Ｔｉｎａ、又は前記更新した内部時刻Ｔｉｎを表示器３４に表示する際に、時刻表示を更新する旨を報知部３８により報知するように構成することで、ユーザに違和感を与えないで時刻を変更（更新）することができる。
【００６０】
同様に、表示制御部５６は、標準時刻取得部５１にて標準時刻Ｔｓｔを取得できなかった場合に、内部時刻Ｔｉｎに時刻差Δｔ（又は積算時刻差ΣΔｔ）を加えた補正時刻Ｔｉｎａを表示器３４に表示する際、時刻差Δｔ（又は積算時刻差ΣΔｔ）を分割した分割時刻差を、内部時計５０により刻まれ計時される第２所定時間毎に、時刻差Δｔ（又は積算時刻差ΣΔｔ）がゼロとなるまで、内部時刻Ｔｉｎに加えた補正時刻Ｔｉｎａを複数回演算するように構成することで、ユーザに与える違和感を最小限に抑制しながら補正時刻Ｔｉｎａを表示することができる。
【００６１】
なお、この発明は、上述の実施形態に限らず、例えば、携帯端末１２の機能中、ＧＰＳ受信部２２及びＧＰＳ信号処理部２４の機能をオーディオユニット１０のＥＣＵ３０内に設ける等、この明細書の記載内容に基づき、種々の構成を採り得ることはもちろんである。
【符号の説明】
【００６２】
１０…オーディオユニット            １２…携帯端末
１４…電子装置システム              １６…ダッシュボード
２０…ＧＰＳ衛星                    ３０…ＥＣＵ
３４…表示器                        ３４ｄ…画面
３８…報知部                        ４６…記憶部
４６ａ…時刻差記憶領域              ５０…内部時計
５１…標準時刻取得部                ５２…時刻差演算部
５３…補正時刻演算部                ５４…内部時刻更新部
５５…未取得経過時間計時部          ５６…表示制御部
Ｔｉｎ…内部時刻                    Ｔｉｎａ…補正時刻
Ｔｓｔ…標準時刻                    Ｔｘ…経過時間
Δｔ…時刻差                        Ｔｓ…積算時刻差
【図１】
2014206420.tif 000003
【図２】
2014206420.tif 000004
【図３】
2014206420.tif 000005
【図４】
2014206420.tif 000006